(57)【要約】【課題】不必要な凸部を形成することがない布製のケースカバーの製造方法を提供することである。【解決手段】ケースカバー１０の製造方法は、上面部４と側面部５との間にわたって曲げられた曲面部６を有するケースの周囲を覆うケースカバー１０の製造方法であって、上面部４の面積と曲面部６の面積の総和よりも小さい面積を有し、少なくとも上面部４の略全体と曲面部６の一部を覆う布製の上面カバー部１２を設ける第１の工程と、側面部５の周方向に巻回され、側面部５の略全体を覆う布製の側面カバー部１４を設ける第２の工程と、を備える。【選択図】図１
2017079956.tif 000002
【特許請求の範囲】
【請求項１】
上面部と側面部との間にわたって曲げられた曲面部を有するケースの周囲を覆うケースカバーの製造方法であって、
前記上面部の面積と前記曲面部の面積の総和よりも小さい面積を有し、少なくとも前記上面部の略全体と前記曲面部の一部を覆う布製の上面カバー部を設ける第１の工程と、
前記側面部の周方向に巻回され、前記側面部の略全体を覆う布製の側面カバー部を設ける第２の工程と、
を備えることを特徴とするケースカバーの製造方法。
【請求項２】
請求項１に記載のケースカバーの製造方法において、
前記上面カバー部と前記側面カバー部の境界部を覆うように周方向に巻回され、帯状で布製の境界カバー部を設ける第３工程をさらに備えることを特徴とするケースカバーの製造方法。
【発明の詳細な説明】
【技術分野】
【０００１】
本発明は、ケースカバーに関する。
【背景技術】
【０００２】
従来、ウェットティッシュやお尻ふきなどを収納するケースが種々開発されている。本発明に関連する技術として、例えば、特許文献１には、容易に開閉蓋を開けることができ、開閉蓋を開いた後に摘み部から手を放したときに、合成樹脂の反発力により開閉蓋が閉じてしまうことがなく、かつ、再封した際にしわが生じるのを防止できる包装体が開示されている。
【先行技術文献】
【特許文献】
【０００３】
【特許文献１】特開２０１５−８５９６８号公報
【発明の概要】
【発明が解決しようとする課題】
【０００４】
上記のように従来機能性を考慮したケースは開発されているが、デザイン性を考慮したものが極めて少ない。そこで、花柄などの模様が施された布をカバーとして利用することも考えられるが、一枚の布を用いてケースの上面部と側面部を覆う場合に側面部の角部でしわが生じてしまい不必要な凸部が形成されてしまう課題がある。また、このような凸部はデザイン性を鑑みてもあまり好ましいものとは言えない。
【０００５】
本発明の目的は、不必要な凸部を形成することがない布製のケースカバーの製造方法を提供することである。
【課題を解決するための手段】
【０００６】
本発明に係るケースカバーの製造方法は、上面部と側面部との間にわたって曲げられた曲面部を有するケースの周囲を覆うケースカバーの製造方法であって、前記上面部の面積と前記曲面部の面積の総和よりも小さい面積を有し、少なくとも前記上面部の略全体と前記曲面部の一部を覆う布製の上面カバー部を設ける第１の工程と、前記側面部の周方向に巻回され、前記側面部の略全体を覆う布製の側面カバー部を設ける第２の工程と、を備えることを特徴とする。
【０００７】
また、本発明に係るケースカバーの製造方法において、前記上面カバー部と前記側面カバー部の境界部を覆うように周方向に巻回され、帯状で布製の境界カバー部を設ける第３工程をさらに備えることが好ましい。
【発明の効果】
【０００８】
本発明によれば、上面カバー部と側面カバー部によってケース全体が覆われている。そして、上面カバー部は、上面部の面積と曲面部の面積の総和よりも小さい面積を有しているため、布が余ることが無くしわが生じない。したがって、不必要な凸部を形成することがない。
【図面の簡単な説明】
【０００９】
【図１】本発明に係る実施形態において、ケースカバーを示す図である。
【図２】本発明に係る実施形態において、ケースカバーによって覆われるハードケースを示す図である。
【図３】本発明に係る実施形態において、ケースカバーの各構成要素を分離した図である。
【発明を実施するための形態】
【００１０】
以下に、本発明に係る実施の形態について添付図面を参照しながら詳細に説明する。以下では、全ての図面において同様の要素には同一の符号を付し、重複する説明を省略する。また、本文中の説明においては、必要に応じそれ以前に述べた符号を用いるものとする。
【００１１】
図１は、ケースカバー１０を示す図である。図２は、ケースカバー１０によって覆われるハードケース２を示す図である。図３は、ケースカバー１０の各構成要素を分離した図である。ケースカバー１０は、ウェットティッシュやお尻ふきが収納されたハードケース２を覆うカバーである。なお、ハードケース２は、ケースカバー１０の構成要素ではないが、ケースカバー１０の構造を説明するために必要であるため、最初にハードケース２について説明する。
【００１２】
ハードケース２は、上面部４と、側面部５と、曲面部６と、底面部７と、蓋部８とを有する。ハードケース２は、程度な強度を有する材料を用いて構成されており、例えば、プラスチックを用いて構成することができる。
【００１３】
ハードケース２の内部には、複数枚のウェットティッシュなどが折りたたまれて収納されており、上面部４の中央に設けられた蓋部８を開いて取り出すことができる。上面部４及び底面部７は略平板形状を有し、所定の間隔をあけて平行に位置している。
【００１４】
側面部５は、底面部７の四辺外端部に立設している。曲面部６は、上面部４と側面部５との間にわたって曲げられて形成されており、上面部４と側面部５の間に所定の曲率を有する曲面を含む。
【００１５】
ここで、ハードケース２において、上面部４の面積をＳＵとし、曲面部６の面積をＳＲとし、側面部５の面積をＳＳとする。
【００１６】
次に、ケースカバー１０の各構成要素について説明する。ケースカバー１０は、上面カバー部１２と、側面カバー部１４と、境界カバー部１６とを備えて構成される。
【００１７】
上面カバー部１２は、ハードケース２の上面部４と曲面部６を覆う布部材である。上面カバー部１２は、矩形形状を有している。上面カバー部１２の面積をＳｃｕとすると、Ｓｃｕ≦ＳＵ＋ＳＲの関係式が成立するように上面カバー部１２の大きさが設定されている。また、上面カバー部１２は、蓋部８の開閉に伴って開閉する蓋部を有しており、その境界の隙間にはレース部材などを設置して隙間が見えにくいように配慮している。ここで、上面カバー部１２は、花柄模様などが装飾され、フランスの伝統工芸として知られるカルトナージュ用の布等を用いることがより良いデザイン性を考慮した際に好適となる。
【００１８】
側面カバー部１４は、ハードケース２の側面部５の周方向に巻回され、側面部５の略全体を覆う布部材である。側面カバー部１４は、帯状の形状を有している。ここで、側面カバー部１４の面積をＳＣＳとすると、ＳＣＳ≧ＳＳの関係式が成立するように側面カバー部１４の大きさが設定される。また、上面カバー部１２の面積Ｓｃｕと側面カバー部１４の面積ＳＣＳの双方がハードケース２に取り付けられた際に境界部に隙間が生じることがないように面積が設定されることが好適である。なお、側面カバー部１４も上面カバー部１２と同様にカルトナージュ用の布を帯状に形成して使用しても良く、その他、美観を生じる帯状のリボンを用いて構成してもよい。
【００１９】
境界カバー部１６は、上面カバー部１２と側面カバー部１４の境界部を覆うように周方向に巻回される布部材である。境界カバー部１６は、側面カバー部１４と同様に帯状の形状を有しているが、側面カバー部１４に比べて面積が小さい。ここで、境界カバー部１６の面積をＳＣｂとすると、０．０５×ＳＣＳ≦ＳＣｂ≦０．３×ＳＣＳの範囲がより好ましいデザインとなる。なお、境界カバー部１６は、レース状の帯部材を用いて構成することが好ましく、また、図１，３に示されるように所定の間隔で複数の装飾具が吊下げられていることも好適である。
【００２０】
次に、ケースカバー１０の製造方法について説明する。最初に、ハードケース２を用意し（Ｓ２）、続いてボンド等の接着剤を用いて上面カバー部１２をハードケース２の上面部４と曲面部６を覆うように取り付ける（Ｓ４）。
【００２１】
その後、側面カバー部１４をハードケース２の側面部５を覆うように巻回し、ボンド等の接着剤を用いて取り付ける（Ｓ６）。次いで、上面カバー部１２と側面カバー部１４の境界部を覆うように境界カバー部１６を側面部５の上部に巻回し、ボンド等の接着剤を用いて上面カバー部１２及び側面カバー部１４に取り付ける（Ｓ８）。これにより、ケースカバー１０が完成する。
【００２２】
続いて、上記構成のケースカバー１０の製造方法の作用について説明する。上記のように、当該ケースカバー１０の製造方法では、Ｓｃｕ≦ＳＵ＋ＳＲの関係式が成立するような上面カバー部１２を取り付けている。これにより、取り付け対象領域（上面部４及び曲面部６）に対して上面カバー部１２の布が余ることがない。したがって、上面カバー部１２においてしわが発生することがない。
【００２３】
また、ケースカバー１０の製造方法では、上面カバー部１２とは別の部材であり、ＳＣＳ≧ＳＳの関係式が成立するような側面カバー部１４を用いてハードケース２の側面部５を覆っている。したがって、ケースカバー１０全体において余分な凸部を形成することなくカバーとして機能させることができる。また、上面カバー部１２及び側面カバー部１４はカルトナージュ用の布を用いて装飾が施されたものであり、デザイン性にも優れている利点がある。
【００２４】
さらに、ケースカバー１０の製造方法では、上面カバー部１２と側面カバー部１４の境界部を覆うように境界カバー部１６が設けられている。これにより、上面カバー部１２と側面カバー部１４の補強部材として機能するとともに、複数の装飾具が吊下げられているようなデザインが施されているため、美しい美観が生じるというメリットがある。
【符号の説明】
【００２５】
２  ハードケース、４  上面部、５  側面部、６  曲面部、７  底面部、８  蓋部、１０  ケースカバー、１２  上面カバー部、１４  側面カバー部、１６  境界カバー部。
【図１】
2017079956.tif 000003
【図２】
2017079956.tif 000004
【図３】
2017079956.tif 000005